(57)【要約】      （修正有）【課題】小売店の店舗に陳列される商品を装飾し、同時にその商品を鮮やかに照射することが可能な装飾構造体を提供する。【解決手段】装飾構造体１は、第１の電線を用いて接続された第１の発光色の複数の第１の照明部材を備えた第１の照明装置と、第２の電線を用いて接続された第２の発光色の複数の第２の照明部材を備えた第２の照明装置と、ワイヤー４１を備え、第１及び第２の照明装置をそれぞれ保持する保持部材４０と、保持部材を支持する支持部材５０とを有し、第１の照明装置と第２の照明装置は、複数の第１の照明部材の各々と複数の第２の照明部材の各々が交互に位置するように重ね合わせて配置されており、ワイヤーの直径は、第１及び第２の照明部材のそれぞれの表面の一辺の幅よりも短い。【選択図】図１
0003228514.tif 000002
【実用新案登録請求の範囲】
【請求項１】
商品に光を照射する装飾構造体であって、
第１の電線を用いて接続された第１の発光色の複数の第１の照明部材を備えた第１の照明装置と、
第２の電線を用いて接続された第２の発光色の複数の第２の照明部材を備えた第２の照明装置と、
少なくとも１本のワイヤーを備え、前記第１の照明装置及び前記第２の照明装置をそれぞれ保持する保持部材と、
前記保持部材を支持する支持部材と、を有し、
前記第１の照明装置と前記第２の照明装置は、前記複数の第１の照明部材の各々と前記複数の第２の照明部材の各々が交互に位置するように重ね合わせて配置されており、
前記ワイヤーの直径は、前記第１の照明部材及び前記第２の照明部材のそれぞれの表面の一辺の幅よりも短いことを特徴とする装飾構造体。
【請求項２】
前記第１の照明部材及び前記第２の照明部材の向きを変えられるように前記第１の照明装置及び前記第２の照明装置のそれぞれと前記保持部材とを連結する連結部材を更に有することを特徴とする請求項１に記載の装飾構造体。
【請求項３】
前記連結部材は、前記第１の照明装置及び前記第２の照明装置のそれぞれの位置を変えられるように半固定する留め具であることを特徴とする請求項２に記載の装飾構造体。
【請求項４】
前記第１の発光色は白色であり、前記第２の発光色は電球色であることを特徴とする請求項１乃至３のいずれか一項に記載の装飾構造体。
【請求項５】
前記複数の第１の照明部材の各々と前記複数の第２の照明部材の各々は、前記表面が略同一方向を向くように配置されていることを特徴とする請求項１乃至４のいずれか一項に記載の装飾構造体。
【請求項６】
前記第１の照明部材及び前記第２の照明部材のそれぞれの前記表面には、４個のＬＥＤチップが設けられていることを特徴とする請求項１乃至５のいずれか一項に記載の装飾構造体。
【請求項７】
前記第１の電線は、前記複数の第２の照明部材の各々の略中心位置の上を通過するように配置されていることを特徴とする請求項１乃至６のいずれか一項に記載の装飾構造体。
【請求項８】
前記第２の電線は、前記複数の第１の照明部材の各々の略中心位置の上を通過するように配置されていることを特徴とする請求項１乃至６のいずれか一項に記載の装飾構造体。
【考案の詳細な説明】
【技術分野】
【０００１】
本考案は、小売店の店舗に陳列される商品の周囲を装飾し、同時にその商品を鮮やかに照射する装飾構造体に関する。
【背景技術】
【０００２】
小売店等では被服、靴、雑貨等の商品を店内に陳列し、その商品の周囲に装飾のための縫いぐるみ等を設置し、かつライト照明等で光を照射することが行われている。しかし、装飾用の縫いぐるみやライト照明等は個別に設置されており、その設置の手間等が多い。このような手間を省く工夫として、出願人は、装飾構造体の輪郭を形成する輪郭形成部材を有し、その輪郭形成部材表面に光を照射する照明部材が設けられていることを特徴とする装飾構造体を創作している（特許文献１）。
【０００３】
また、従来から、自然光に極めて近い定常光を使用して、良好な写真を撮影することができる照明装置が知られている。特許文献２には、定常光を使用して、影の少ない色合いの良好な写真を簡単に撮影することができる写真撮影用照明装置が開示されている。特許文献２には、自然光に近似した色温度の光を放射するランプが配設された発光壁ユニットを門形に配置して構成された写真撮影用照明装置が開示されている。
【先行技術文献】
【特許文献】
【０００４】
【特許文献１】実用新案登録第３２２５０７７号公報
【特許文献２】特開２００５−３１５１１号公報
【考案の概要】
【考案が解決しようとする課題】
【０００５】
しかしながら、特許文献１に開示された装飾構造体において、白色ＬＥＤを用いた照明部材を用いて商品の照射を行うと、商品が白っぽく見えてしまうという問題がある。一方で、電球色ＬＥＤを用いた照明部材を用いると、商品に赤みが出て見えてしまう。
【０００６】
また、特許文献２に開示された写真撮影用照明装置は、発光壁ユニットによって商品の背景が隠されてしまうため、ショーウインドウ等の屋内で商品を照射するには適さない。
【０００７】
そこで本考案の目的は、小売店の店舗に陳列される商品を装飾し、同時にその商品を鮮やかに照射する装飾構造体を提供することである。
【課題を解決するための手段】
【０００８】
上記課題を解決するため、本考案に係る装飾構造体は、商品に光を照射する装飾構造体であって、第１の電線を用いて接続された第１の発光色の複数の第１の照明部材を備えた第１の照明装置と、第２の電線を用いて接続された第２の発光色の複数の第２の照明部材を備えた第２の照明装置と、少なくとも１本のワイヤーを備え、前記第１の照明装置及び前記第２の照明装置をそれぞれ保持する保持部材と、前記保持部材を支持する支持部材とを有し、前記第１の照明装置と前記第２の照明装置は、前記複数の第１の照明部材の各々と前記複数の第２の照明部材の各々が交互に位置するように重ね合わせて配置されており、前記ワイヤーの直径は、前記第１の照明部材及び前記第２の照明部材のそれぞれの表面の一辺の幅よりも短い。
【０００９】
本考案の他の目的や特徴は、以下の実施形態において説明される。
【考案の効果】
【００１０】
本考案によれば、小売店の店舗に陳列される商品を装飾し、同時にその商品を鮮やかに照射することが可能な装飾構造体を提供することができる。
【図面の簡単な説明】
【００１１】
【図１】本実施形態に係る装飾構造体１の斜視図である。
【図２】（ａ）照明装置１０の例を説明する正面図であり、（ｂ）照明装置２０の例を説明する正面図である。
【図３】照明装置３０の例を説明する正面図である。
【図４】商品と対峙する側から見た装飾構造体１の拡大図であり、照明部材の光を照射する方向が異なる４つのケースを示している。
【考案を実施するための形態】
【００１２】
以下、本考案の実施形態に関し、図面を参照して説明する。なお、本考案は、以下の記述に限定されるものではなく、本考案の要旨を逸脱しない範囲において適宜変更可能である。また、図面は模式的なものであり、各寸法等は現実なものと異なることがある。具体的な寸法は以下の説明を参酌して判断すべきものである。また、図面相互間においても互いの寸法の関係や比率が異なる部分が含まれていることは無論である。
【００１３】
図１は、本実施形態に係る装飾構造体１の一実施例の斜視図であり、図２（ａ）は、照明装置（第１の照明装置）１０の例を説明する正面図であり、図２（ｂ）は、照明装置（第２の照明装置）２０の例を説明する正面図であり、図３は、照明装置３０（照明装置１０と照明装置２０とを重ね合わせた照明装置）の例を説明する正面図であり、図４は、商品と対峙する側から見た装飾構造体１の拡大図であり、照明部材の光を照射する方向が異なる４つのケースを示している。
【００１４】
装飾構造体１は、被服、靴、雑貨等の商品や商品パッケージに光を照射する装飾構造体であり、例えば、ショーウインドウ等の屋内に設置されて利用されるものである。このとき、商品は、装飾構造体１の光が向けられた場所に位置する。このように商品を照射することにより、ショーウインドウ等の屋内において、商品を際立たせて見せることができる。装飾構造体１は、図１に示すように、当該装飾構造体１の輪郭を形成する輪郭形成部材４０を有する。輪郭形成部材４０は、照明装置１０、２０をそれぞれ保持する保持部材である。
【００１５】
図１を用いて、輪郭形成部材４０の構造を説明する。
【００１６】
輪郭形成部材４０において、ハート型になっている複数のワイヤー４１ａ〜４１ｘ（以降、複数のワイヤー４１として説明する）が略平行に並んでいる。そして、当該ワイヤー４１に垂直に設置された円形状の複数のワイヤー４２が、略平行に並んでいる複数のワイヤー４１を固定している。さらに、支持部材５０が、輪郭形成部材４０、すなわち複数のワイヤー４２により固定された複数のワイヤー４１を支持している。
【００１７】
支持部材５０は、地面上に水平に置かれたＨ型部材５１と、地面とは垂直に起立した２本の棒状部材５２からなる。棒状部材５２の上端部は、輪郭形成部材４０のワイヤー４１とワイヤー４２が交差する場所で、溶接により、ワイヤー４１とワイヤー４２の両方に固定されている。また、棒状部材５２の上端部と溶接されたワイヤー４２とは別のワイヤー４２に、直線状のワイヤー４５が、ワイヤー４２の円の中心を通るように固定されている。そして、棒状部材５２の上端部よりやや下の部位が、溶接により、直線状のワイヤー４５に固定されている。このようにして、棒状部材５２は、輪郭形成部材４０に、強く固定されている。ただし本実施形態は、これに限定されるものではなく、ネジ止め等の他の方法により、棒状部材５２を輪郭形成部材４０（ワイヤー４１）に固定しても良い。Ｈ型部材５１と棒状部材５２の接続部分において、箒型の三角形の形状になるように、棒状部材５３の両端がそれぞれ、Ｈ型部材５１と棒状部材５２に接続されている。このため、Ｈ型部材５１と棒状部材５２の接続部分に過度の負荷がかからないようになっている。また、棒状部材５２の上部の一部を、棒状部材５２とは別の中空の円筒部材４６（図示なし）として、円筒部材４６を、ワイヤー４１、ワイヤー４２、又は、ワイヤー４５に固定し、棒状部材５２の上端を、円筒部材４６に差し込むことにより、棒状部材５２を輪郭形成部材４０に固定しても良い。さらに、棒状部材５２の下部の一部を、棒状部材５２とは別の中空の円筒形部材５５（図示なし）として、円筒形部材５５をＨ型部材５１に接続し、棒状部材５２の下端を円筒形部材５５に差し込むことにより、棒状部材５２をＨ型部材５１に固定しても良い。円筒形部材４６や円筒形部材５５を用いることにより、輪郭形成部材４０と支持部材５０との着脱を容易に行うことができる。
【００１８】
Ｈ型部材５１には、棒状部材５４（図示なし）が４個接続されている。棒状部材５４を設けることにより、支持部材５０が安定して屋内に設置される。また、Ｈ型部材５１の形状は、Ｈ型に限られるものではなく、棒状や板状の形状など、支持部材５０が安定して地面に設置されるような形状でも良い。また、Ｈ型部材５１の底にローラ（図示は省略）を設けることにより、店舗内の移動等を容易にするように構成することができる。
【００１９】
本実施例において、ワイヤー４１の形状はハート型であるが、ワイヤー４１の形状は、図形、文字、記号、又はこれらの組み合わせであっても良い。また、ワイヤー４１は、逆Ｕ字型などの単純な形状であっても良い。
【００２０】
本実施例において、複数のワイヤー４１を用いているが、少なくとも１本のワイヤー４１を用いていれば良い。ワイヤー４１を１本だけ用いた場合は、ワイヤー４２は用いなくても良い。
【００２１】
本実施例において、ワイヤー４２が複数のワイヤー４１を固定しているが、ワイヤー４１の固定方法は、ワイヤー４２による固定に限られない。
【００２２】
本実施例において、ワイヤー４１を棒状部材５２が支えているが、ワイヤー４１と棒状部材５２は一体であっても良い。
【００２３】
本実施例において、支持部材５０はＵ字型であるが、Ｉ字型などの任意の形の支持部材を用いることができる。また、本実施例において、１個の支持部材５０を用いているが、支持部材５０は２個以上を用いても良い。
【００２４】
本実施例において、ワイヤー４１、ワイヤー４２、Ｈ型部材５１、棒状部材５２、棒状部材５３、及び、棒状部材５４は、金属で構成させるが、木材、プラスチック等の任意の硬質の素材を用いることができる。
【００２５】
本実施例では、輪郭形成部材４０の表面を、多数の装飾電球４３が覆っている。なお、装飾電球４３は必要に応じて設ければ良く、本考案に必須の構成ではない。
【００２６】
次に、図２を用いて、装飾構造体１の構造を説明する。
【００２７】
装飾構造体１は、商品と対峙する側の輪郭形成部材４０には、全面に亘って、商品に光を照射する照明部材が複数個別離して設けられている。当該照明部材は白色の光（第１の発光色）を発するものと電球色の光（第２の発光色）を発するものを使用し、発光が異なるものが交互に設けられており、発光色が同じ複数の照明部材同士が電線で接続されている。具体的には、白色の光を発する照明部材（第１の照明部材）１１ａ〜１１ｘを数珠つなぎに接続した照明装置１０と、電球色の光を発する照明部材（第２の照明部材）２１ａ〜２１ｘを数珠つなぎに接続した照明装置２０を、白色の照明部材と電球色の照明部材が交互に並ぶように重ね合わせて構成されている。
【００２８】
照明装置１０は、照明部材１１ａ〜１１ｘと、これらの照明部材より数が１本多い複数の電線（第１の電線）１２ａ〜１２ｘ＋１で構成される。ここで、図２（ａ）では、照明装置１０の複数の照明部材及び複数の電線として、３個の照明部材１１ａ、１１ｂ、１１ｃ及び４本の電線１２ａ、１２ｂ、１２ｃ、１２ｄのみをそれぞれ示しているが、実際には、より多くの照明部材１１ａ〜１１ｘ及び電線１２ａ〜１２ｘ＋１が配置されている。
【００２９】
図２に示されるように、照明部材１１ａは、表面側から見た場合、正四角形の形状をしている。商品と対峙する側の照明部材１１ａの表面１１１には、４個の白色のＬＥＤチップ１１２〜１１５が別離して設けられている。また、制御チップ１１６（図示なし）が設けられている。なお、照明部材１１ａの形状は、正四角形に限られるものではなく、長方形や丸形など、任意の形でも良い。また、白色ＬＥＤチップの数は、４個に限られるものではなく、１個でも良く、２個以上の任意の数でも良い。
【００３０】
照明部材１１ａの表面１１１上の部位１１７において、電線１２ａの末端１２２が接続されている。さらに、表面１１１上の別の部位１１８において、電線１２ｂの末端１２１が接続されている。電線１２ｂにおいて、照明部材１１ａの部位１１８と接続した末端１２１とは反対側の末端１２２は、照明部材１１ａとは別の照明部材１１ｂの表面１１１上の部位１１７において、照明部材１１ｂと接続されている。このように、電線１２ｂ〜１２ｘ＋１の末端１２１は、照明部材１１ａ〜１１ｘの部位１１８に接続し、電線１２ａ〜１２ｘの末端１２２を、照明部材１１ａ〜１１ｘの部位１１７に接続をすることを繰り返すことにより、照明部材１１ａ〜１１ｘが数珠つなぎに接続された照明装置１０が構成される。電線１２ａ〜１２ｘ＋１は、照明部材１１ａ〜１１ｘ上のＬＥＤチップ１１２〜１１５に電力を供給するために用いられる。
【００３１】
同様に、照明部材２１ａ〜２１ｘには、表面２１１に、４個の電球色のＬＥＤチップ２１２〜２１５が設けられている。そして、照明部材２１ａ〜２１ｘと電線２２ａ〜２２ｘ＋１とをそれぞれ交互に接続することにより、電球色の光を発する照明装置２０が構成される。ここで図２（ｂ）では、照明装置２０の複数の照明部材及び複数の電線として、３個の照明部材２１ａ、２１ｂ、２１ｃ及び４本の電線２２ａ、２２ｂ、２２ｃ、２２ｄのみをそれぞれ示しているが、実際には、より多くの照明部材２１ａ〜２１ｘ及び電線２２ａ〜２２ｘ＋１が配置されている。
【００３２】
以上のように、照明装置１０は、電線１２ａ〜１２ｘ＋１を用いて接続された第１の発光色（例えば白色）の複数の照明部材１１ａ〜１１ｘを備えている。照明装置２０は、電線２２ａ〜２２ｘ＋１を用いて接続された第２の発光色（例えば電球色）の複数の照明部材２１ａ〜２１ｘを備えている。
【００３３】
ここで、発光色は色温度（光源からの光の色を数値で表したものであり、単位はＫ（ケルビン））で定義される。ＬＥＤの発光色は、通常、「電球色」「温白色」「白色」「昼白色」「昼光色」の５種類の発光色に分類される。これらの発光色は電球色：２６００〜３２５０Ｋ、温白色：３２５０〜３８００Ｋ、白色：３８００〜４５００Ｋ、昼白色：４６００〜５５００Ｋ、昼光色：５７００〜７１００Ｋのように区分される。本実施形態において、白色のＬＥＤの色温度は約６５００Ｋであり、電球色のＬＥＤの色温度は約３５００Ｋである。なお、白色のＬＥＤ及び電球色のＬＥＤの色温度は、これらの色温度に限られるものではなく、上述の「電球色」「温白色」「白色」「昼白色」「昼光色」の５種類の発光色の分類において、「白色」、「昼白色」、又は「昼光色」の発光色のＬＥＤを白色のＬＥＤとして用いて、「電球色」又は「温白色」の発光色のＬＥＤを電球色のＬＥＤとして用いても良い。ただし本実施形態は、第１の発光色（第１の色温度）が白色で第２の発光色（第２の色温度）が電球色である場合に限定されるものではなく、第１の発光色と第２の発光色とが異なっていれば良い。
【００３４】
図３を用いて、照明装置３０の構造を説明する。
【００３５】
照明装置１０と照明装置２０を重ね合わせることにより、照明装置３０が構成される。照明装置１０と照明装置２０を重ね合わせる際、白色ＬＥＤチップを設けた照明部材１１ａ〜１１ｘと電球色ＬＥＤチップを設けた照明部材２１ａ〜２１ｘとが交互に並ぶように重ね合わせている。そして、照明部材１１ａ〜１１ｘの表面１１１と照明部材２１ａ〜２１ｘの表面２１１は、略同一方向を向くように重ね合わせている。この際、表面１１１及び表面２１１の向いている側から見て、手前に照明装置１０があり、奥に照明装置２０があるように重ね合わせている。このとき、照明装置１０の電線１２ｂ〜１２ｘ＋１は、照明装置２０の照明部材２１ａ〜２１ｘの表面２１１上の部位２１７と部位２１８とをつなぐ線上で、表面２１１上に配置されている。なお本実施形態において、電線１２ｂ〜１２ｘ＋１は照明部材２１ａ〜２１ｘの表面２１１に接しているが、これに限定されるものではなく、接していなくても良い。また、照明装置２０の電線２２ａ〜２２ｘは、照明装置１０の照明部材１１ａ〜１１ｘの表面１１１の反対側の面上に配置されている。なお本実施形態において、電線２２ｂ〜２２ｘ＋１は照明部材１１ａ〜１１ｘの表面１１１の反対側の面に接しているが、これに限定されるものではなく、接していなくても良い。
【００３６】
なお、照明装置１０の電線１２ａ〜１２ｘが、照明装置２０の照明部材２１ａ〜２１ｘの表面２１１上に配置され、照明装置２０の電線２２ｂ〜２２ｘ＋１が、照明装置１０の照明部材１１ａ〜１１ｘの表面１１１の反対側の面上に配置されるように、照明装置１０と照明装置２０とを重ね合わせても良い。また、照明装置１０の電線１２ａ〜１２ｘ＋１のうちの任意の数の電線が、照明装置２０の照明部材２１ａ〜２１ｘの表面２１１の反対側の面上に配置されるように、照明装置１０と照明装置２０とを重ね合わせても良い。同様に、照明装置２０の電線２２ａ〜２２ｘ＋１のうちの任意の数の電線が、照明装置１０の照明部材１１ａ〜１１ｘの表面１１１に重なるように、照明装置１０と照明装置２０とを重ね合わせても良い。また、照明装置１０の電線１２ａ〜１２ｘ＋１が、照明装置２０の照明部材２１ａ〜２１ｘの表面２１１上に配置される位置は、部位２１７と部位２１８とをつなぐ線上にある。すなわち電線１２ａ〜１２ｘ＋１は、照明部材２１ａ〜２１ｘの各々の略中心位置の上を通過するように配置されている。ここで略中心位置とは、電線が照明装置の厳密な中心位置を通過するように配置されている場合に限定されるものではなく、実質的に中心位置を通過するように配置されていると評価される場合を含む意味である。ただし本実施形態は、これに限定されるものではなく、電線は照明部材の他の位置に配置されていても良い。
【００３７】
なお、手前に照明装置２０があり、奥に照明装置１０があるように重ね合わせても良い。このとき電線２２ａ〜２２ｘ＋１は、照明部材１１ａ〜１１ｘの各々の略中心位置の上を通過するように配置される。
【００３８】
照明装置１０の電線１２ａ〜１２ｘ＋１と照明装置２０の電線２２ａ〜２２ｘ＋１がそれぞれ重なった部分において、複数の留め具３１を使用して、照明装置１０と照明装置２０とを固定する。同様に、照明装置１０の電線１２ｂ〜１２ｘ＋１と照明装置２０の電線２２ａ〜２２ｘがそれぞれ重なった部分において、複数の留め具３１を使用して、照明装置１０と照明装置２０とを固定する。なお、留め具３１は、照明装置１０と照明装置２０が完全に分離されない限り、適宜、省略することができる。また、照明装置１０の任意の電線１２ｙとそれに重なる照明装置２０の電線２２ｙが重なり合う部分において、複数個の留め具を用いて、照明装置１０と照明装置２０とを固定しても良い。
【００３９】
なお本実施形態において、図２及び図３に示されるように、白色のＬＥＤチップ１１２〜１１５を有する照明部材１１ａ〜１１ｘを接続する電線１２ａ〜１２ｘ＋１と電球色のＬＥＤチップ２１２〜２１５を有する照明部材２１ａ〜２１ｘを接続する電線２２ａ〜２２ｘ＋１は異なるが、これに限定されるものではない。照明部材１１ａ〜１１ｘ、２１ａ〜２１ｘを一列の電線で接続しても良い。またこのとき、各々の照明部材を構成する４個のＬＥＤチップのうち２個を白色ＬＥＤ、他の２個を電球色ＬＥＤとしても良い。
【００４０】
次に、図４を用いて、照明装置３０を輪郭形成部材４０に固定する実施例を説明する。
【００４１】
照明装置１０と照明装置２０とを重ね合わせて構成された照明装置３０の電線１２ａ〜１２ｘ＋１、または、電線２２ａ〜２２ｘ＋１のいずれか１本と、輪郭形成部材４０のワイヤー４１とが、留め具（連結部材）４４により固定（連結）されている。留め具４４はプラスチック製の結束バンドであるが、これに限定されるものではなく、金属等の他の材料からなるものであっても良い。さらに、留め具４４は１個に限られず、複数個の留め具４４が、照明装置３０の電線１２ａ〜１２ｘ＋１、又は、電線２２ａ〜２２ｘ＋１のうちの任意の数の電線と輪郭形成部材４０のワイヤー４１とを複数個所で固定している。なお、この際、電線１２ａ〜１２ｘ＋１のいずれか１本と、それに重なり合う電線２２ａ〜２２ｘ＋１のうちの１本との合計２本の電線を同時に、留め具４４により、輪郭形成部材４０のワイヤー４１に固定しても良い。また、留め具４４は１個だけ用いても良い。
【００４２】
この際、留め具４４による固定を半固定にして、照明部材１１ａ〜１１ｘ、または、照明部材２１ａ〜２１ｘの向きを変えられるようにして、照明部材１１ａ〜１１ｘの表面１１１、及び、照明部材２１ａ〜２１ｘの表面２１１が、商品の方を向くように調節できるようにしても良い。このとき留め具４４は、複数の照明部材１１ａ〜１１ｘ及び複数の照明部材２１ａ〜２１ｘの向きを変えられるように照明装置１０、２０のそれぞれと輪郭形成部材４０とを連結（半固定）する連結部材として機能する。なお本実施形態において、留め具４４は結束バンドに限定されるものではなく、照明装置１０、２０のそれぞれと輪郭形成部材４０とを連結（半固定）することが可能な連結部材であれば、他の構成を採用しても良い。また、留め具としてネジ等の固定部材を用いて固定し、固定部材を緩めて各照明部材の向きを変えた後に固定部材で固定するように構成しても良い。また、連結部材は、各照明部材の向きを変えるための手動又は電動の可動機構を備えていても良い。電動の可動機構を備えている場合、各照明部材の向きを変える際に店舗の従業員等が遠隔操作手段を操作し、その遠隔操作手段からの信号に基づいて可動機構が駆動され各照明部材の向きを変えることができる。
【００４３】
また本実施形態において、ワイヤー４１の直径（断面の直径）は、照明部材１１ａ〜１１ｘ、２１ａ〜２１ｘのそれぞれの表面の一辺（例えば、図２中の各照明部材の横辺（電線に沿った方向と垂直な方向の辺））の幅よりも短い。なお、照明部材の表面形状が四角形でない場合、ワイヤーの直径が電線と垂直な方向の最大幅よりも短くなるように構成される。このような構成により、ワイヤー４１に保持された各照明部材の向きを容易に変えることができる。
【００４４】
なお、本実施形態において、照明装置１０と照明装置２０とを重ね合わせて構成された照明装置３０の電線１２ａ〜１２ｘ＋１、又は、電線２２ａ〜２２ｘ＋１のうちの任意の数の電線を、留め具４４により、輪郭形成部材４０のワイヤー４１に固定することにより、照明装置１０及び照明装置２０（すなわち照明装置３０）を輪郭形成部材４０に固定したが、固定方法はこれに限定されるものではない。例えば、照明装置２０の電線２２ａ〜２２ｘ＋１のうちの任意の数の電線を、留め具４４により、輪郭形成部材４０のワイヤー４１に固定したのち、照明装置１０の電線１２ａ〜１２ｘ＋１のうちの任意の数の電線を、留め具４４により、輪郭形成部材４０のワイヤー４１に固定することにより、照明装置１０及び照明装置２０を輪郭形成部材４０に固定してもよい。この際、留め具４４で固定する照明装置１０の電線１２ａ〜１２ｘ＋１と重なり合う照明装置２０の電線２２を、電線１２と同時に、留め具４４により、輪郭形成部材４０のワイヤー４１に固定してもよい。また、照明装置１０の電線１２ａ〜１２ｘ＋１のうちの任意の数の電線を、留め具３１により、電線１２と重なり合う照明装置２０の電線２２に固定することにより、照明装置１０を輪郭形成部材４０に固定しても良い。また、照明装置１０を留め具４４により輪郭形成部材４０に固定したのち、照明装置２０を留め具３１又は留め具４４により、輪郭形成部材４０に固定してもよい。
【００４５】
本実施形態によれば、白色の光を発する照明部材と電球色の光を発する照明部材を交互に並べて、商品に、白色の光と電球色の光を同時に当てることによって、小売店の店舗に陳列される商品を装飾し、同時にその商品を鮮やかに照射することができる。
【符号の説明】
【００４６】
１  装飾構造体
１０  照明装置（第１の照明装置）
１１ａ〜１１ｘ  照明部材（第１の照明部材）
１２ａ〜１２ａ＋１  電線（第１の電線）
２０  照明装置（第２の照明装置）
２１ａ〜２１ｘ  照明部材（第２の照明部材）
２２ａ〜２２ａ＋１  電線（第２の電線）
４０  輪郭形成部材（保持部材）
４１  ワイヤー
４４  留め具（連結部材）
５０  支持部材
１１２〜１１５、２１２〜２１５  ＬＥＤチップ
【図１】
0003228514.tif 000003
【図２】
0003228514.tif 000004
【図３】
0003228514.tif 000005
【図４】
0003228514.tif 000006